(57)【要約】      （修正有）【課題】安価で、ホールの美観を損なわないパチンコ用椅子を提供する。【解決手段】一本足支柱を有するパチンコ用椅子であって、該パチンコ用椅子の背もたれ部分は薄板と枠体から出来ており、前記薄板は前記枠体に着脱可能に取付られており、前記枠体と前記薄板でバスケット部を構成していることを特徴とする。安価な薄板としては塩化ビニール、ポリエチレン等の軟質樹脂薄板やＡＢＳ，６６ナイロン等の硬質樹脂薄板や木材や金属メッシュ等があげられる。【選択図】図２
0003149651.tif 000002
【実用新案登録請求の範囲】
【請求項１】
一本足支柱を有するパチンコ用椅子であって、該パチンコ用椅子の背もたれ部分は薄板と、フレーム部と補強部とからなる枠体とから出来ており、前記薄板は前記枠体に着脱可能に取付けられており、前記枠体と前記薄板でバスケット部を構成していることを特徴とするパチンコ用椅子。
【考案の詳細な説明】
【技術分野】
【０００１】  本考案は弾力性に富んだ薄板と枠体とからなるパチンコ用椅子に関するものである。
【背景技術】
【０００２】
【特許文献１】特開２００１−３２７３６０
【特許文献２】特開２００３−２８４６２５  例えば、パチンコホールは使い勝手と座り心地の良い椅子を望んでいる。上記特許文献１、２に示されたパチンコ用椅子は、高価な熱可塑性エラストマーで成形された背もたれ部分がフレーム部に着脱可能に取付けられているものである。
【考案の開示】
【考案が解決しようとする課題】
【０００３】  上記特許文献１、２に記載の背もたれ部分はいずれも高価なものになっており、又、前記背もたれ部分には、パチンコホール側が宣伝物を入れようとしても入れるところがなくて、背もたれ部分に袋をぶらさげて宣伝物を入れているのが現状であり、パチンコホールの美観を損なっている。そこで本考案はパチンコホールの美観を損なわないパチンコ用椅子を提供しようとするものである。
【課題を解決するための手段】
【０００４】  前記課題を解決するため、本考案は、一本足支柱を有するパチンコ用椅子であって、該パチンコ用椅子の背もたれ部分は薄板と、フレーム部と補強部とからなる枠体とから出来ており、前記薄板は前記枠体に着脱可能に取付けられており、前記枠体と前記薄板でバスケット部を構成していることを特徴とする。本考案の薄板としては軟質塩化ビニール、軟質ポリエチレン等の軟質樹脂薄板やＡＢＳ、６６ナイロン等の硬質樹脂薄板や木材、金属メッシュ等があげられる。
【考案の効果】
【０００５】  本考案に係るこのように構成されたパチンコ用椅子は、背もたれ部分の薄板と枠体でバスケット部を構成しているので、このバスケット部に宣伝物を容易に収納でき、したがって、パチンコホール側は背もたれ部分に袋をぶらさげて宣伝物を入れる必要はなく、パチンコホールの美観を損なわずに宣伝物を容易に収納することができるという顕著な効果がある。
【実施例】
【０００６】  次に本考案の実施の形態を図面に従い説明する。
図１は本考案のパチンコ用椅子を示す前方斜視図。
図２は本考案のパチンコ用椅子を示す後方斜視図。
図３は図２のＡ−Ａ矢視断面図。
図４は図２のＢ−Ｂ矢視部分断面図。【０００７】  本考案のパチンコ用椅子は一本足支柱８で鉛直に樹立されている。該一本足支柱８の先端部には図４に見られるように樹脂製サドル２６が嵌着されていて、スライド金具１８が前記樹脂製サドル２６に、図示されていないが遊合で往復動できる状態で、取付けられており、前記スライド金具１８は、前方位置で停止するように図示されていない複数の引張りバネで、前方向に付勢されている。図４に見られるように座部７の座シエル６はポリプロピレン製で、人が座ることが出来るほどでほぼ正方形で厚みが数十ミリあり、又前記座シエル６は前記スライド金具１８に複数の六角ボルト１９と六角ナット２０で取付けられている。又、前記座シェル６は薄肉の外周壁２７と中間部位に薄肉壁２８を有しており、前記薄肉壁２８上面は複数の脚２４をそなえている。図１、図４で見られるクッション４は、スポンジ２５とインナー部材２１をレザー張り部２２で包みこんで形成されている。すなわち、前記インナ部材２１の下面外周部と前記レザー張り部２２外周部とを多数のステープルを打ち込んで、分解できないように前記スポンジ２５を包みこんで形成されている。さらに前記インナ部材２１の下面には複数のバー２３があり、前記脚２４と嵌合して前記クッション４が前記座シエル６に取付けられている。【０００８】  板バネ１４は、図４に見られるように略Ｌ字状に折り曲げ形成されていて、その一方端は前記座シエル６に六角ボルト１５と六角ナット１６で取付けられている。他方端は枠体３の補強部１２に複数の六角ボルト１５と六角ナット１６で取り付けられている。【０００９】  背もたれ部分９は軟質塩化ビニール製の薄板１と、フレーム部１３と補強部１２とからなる枠体３とから出来ており、前記薄板１は、長方形で座った人の背中が接する曲面形状をなし、多数の通気穴２が設けられている。さらに前記薄板１は、図３に見られる如く両側端より前記フレーム部１３との取付け部２９が張り出しており、断面略コ字状となっている。
前記枠体３は全体がポリプロピレン等の樹脂成形品であり、前記枠体は、図２、４に見られるように、前記座シエル６との隣接部を除く前記薄板１の外周部がはまりこむように形成された前記フレーム部１３と、前記フレーム部１３の略下端から中間位置に張り出している前記補強部１２から形成されている。そして前記薄板１の取付部２９と前記フレーム部１３が複数の六角穴付ボルト１０と六角ナット１１により固定されている。前記枠体３と前記薄板１との間に形成された空間が宣伝物を収納するバスケット部５である。【００１０】  カバー１７は前記板バネ１４と六角ボルト１５、六角ナット１６とを覆い隠し、椅子全体の意匠的効果をあげるために前記補強部１２に取付られている。【００１１】  このように構成したパチンコ用椅子は前記バスケット部５にホール側が宣伝物を入れられるので、パチンコホールの美観を損なわないパチンコ用椅子を提供することが出来る。尚前記バスケット部５は一体成形された前記フレーム部１３と前記補強部１２とで構成されているが、フレーム部と補強部がそれぞれを別体で成形し、ネジ止めあるいは接着剤で一体化された構成であっても良い。さらに前記薄板１には多数の通気穴２をもうけたが、多数の通気穴をもうけない構成であっても良い。
【図面の簡単な説明】
【００１２】
【図１】本考案のパチンコ用椅子を示す前方斜視図
【図２】本考案のパチンコ用椅子を示す後方斜視図
【図３】図２のＡ−Ａ矢視断面図
【図４】図２のＢ−Ｂ矢視部分断面図
【符号の説明】
【００１３】  １  薄板
２  通気穴
３  枠体
４  クッション
５  バスケット部
６  座シエル
７  座部
８  一本足支柱
９  背もたれ部分
１０  六角穴付ボルト
１１  六角ナット
１２  補強部
１３  フレーム部
１４  板バネ
１５  六角ボルト
１６  六角ナット
１７  カバー
１８  スライド金具
１９  六角ボルト
２０  六角ナット
２１  インナ部材
２２  レザ張り部
２３  バー
２４  脚
２５  スポンジ
２６  サドル
２７  外周壁
２８  薄肉壁
２９  取付部
【図１】
0003149651.tif 000003
【図２】
0003149651.tif 000004
【図３】
0003149651.tif 000005
【図４】
0003149651.tif 000006